(57)【要約】  【課題】  液晶テレビ等の左右の高さを容易に調整可能にする。  【解決手段】  接地部が左右方向横長であって上部に液晶テレビ１を支持するスタンド装置において、スタンドベース３の下部の左右両端に高さ調節自在に螺着され少なくとも下面がゴムにより被覆されたゴム足４と、該左右のゴム足４の略中間またはその近傍の位置でスタンドベース３の荷重を受けながら接地されるとともに左右方向転動自在に支持された車輪６と、基端が左右方向中心のスタンドベース３の後部下面に水平方向揺動自在に軸支され、先端がスタンドベース３の前部より前方に突出し、中間に車輪６を軸支した操作レバー５とを備える。ここで、操作レバー５は、車輪６の軸支位置よりも先端側でスタンドベース３の下面に摺動自在に当接する。【選択図】  図６
2006243568.tif 000002
【特許請求の範囲】
【請求項１】
接地部が左右方向横長であって上部に機器を支持するスタンド装置において、
本体下部の左右両端に配設され下面がエラストマからなる接地部と、
該左右の接地部の略中間または近傍の位置で本体の荷重を受けながら接地されるとともに左右方向転動自在に支持された車輪と、
該車輪を左右方向に転動させる操作手段と、
を備えたことを特徴とするスタンド装置。
【請求項２】
接地部が前後方向縦長であって上部に機器を支持するスタンド装置において、
本体下部の前後両端に配設され下面がエラストマからなる接地部と、
該前後の接地部の略中間または近傍の位置で本体の荷重を受けながら接地されるとともに前後方向転動自在に支持された車輪と、
該車輪を前後方向に転動させる操作手段と、
を備えたことを特徴とするスタンド装置。
【請求項３】
接地部が左右方向横長であって上部に機器を支持するスタンド装置において、
本体下部の左右両端に高さ調節自在に螺着され少なくとも下面がゴムにより被覆されたゴム足と、
該左右のゴム足の略中間またはその近傍の位置で本体の荷重を受けながら接地されるとともに左右方向転動自在に支持された車輪と、
基端が左右方向中心の本体後部下面に左右方向揺動自在に軸支され、先端が本体前部より前方に突出し、中間に前記車輪を軸支した操作レバーと、
を備えたことを特徴とするスタンド装置。
【請求項４】
請求項３に記載のスタンド装置において、
前記操作レバーは、前記車輪の軸支位置よりも先端側で本体下面に摺動自在に当接されることを特徴とするスタンド装置。
【請求項５】
請求項３または４に記載のスタンド装置において、
前記ゴム足は本体左右端部の前後に４個配置したことを特徴とするスタンド装置。
【請求項６】
請求項１乃至５のいずれかに記載のスタンド装置において、
前記車輪は、前記操作手段、または操作レバーが操作範囲の中央に位置する場合は接地されず、前記操作手段、または操作レバーが左右、または前後方向に操作されてから接地されることを特徴とするスタンド装置。
【発明の詳細な説明】
【技術分野】
【０００１】
本発明は、液晶テレビ等を支持するスタンド装置に関し、詳しくはスタンド装置に支持される液晶テレビ等の本体の左右端の高さを簡単に調節することができるスタンド装置に関する。
【背景技術】
【０００２】
液晶テレビ等の薄型表示装置では画面が大型化され、しかも画面のアスペクト比が１６対９と横長になるに従い、本体画面の左右両端が上下する水平方向の傾きが目立ちやすくなり、ユーザーにとっては、気にし始めると、わずかでも傾いていれば不快に感じることがある。そのため、工場の組み立て工程においても、左右の高さが等しくなるようにして組み立てている。しかしながら、組み立て工程では、スタンド、本体、およびそれらの連結部に複数の部品を用いており、それらは、部品単体で所定の仕上がり寸法の公差内におさまるように管理されている。そのため、部品単体では、各寸法が公差内の良品であっても、公差内の寸法の組み合わせによっては、組み立て後の画面に水平方向の傾きが生じることがある。このような場合は、スタンド部分に、別途傾きを補正するための機構を設けない限り、簡単に調整することは不可能であった。そこで、従来は、特許文献１に記載の「平面型ディスプレイ固定用スタンド」や、特許文献２に記載の「平面表示装置のスタンド」のように、傾きを調節する機構を設けていた。
【特許文献１】特開２００３−１８６４１２号公報
【特許文献２】特開２００１−２８２１３０号公報
【発明の開示】
【発明が解決しようとする課題】
【０００３】
しかしながら、特許文献１に記載の「平面型ディスプレイ固定用スタンド」は、機構が複雑であり、画面を見ながら微調整することは困難であった。また、特許文献２に記載の「平面表示装置のスタンド」は、主として前後方向の傾斜を調節することが可能であるものの、左右の高さを調節することは簡単ではなかった。そこで本発明は、スタンドに支持される本体の左右の高さを、本体を目視しながら微調整することが可能なスタンド装置を提案することを目的とした。
【課題を解決するための手段】
【０００４】
上記課題を解決するために、本発明は、接地部が左右方向横長であって上部に機器を支持するスタンド装置において、本体下部の左右両端に配設され下面がエラストマからなる接地部と、該左右の接地部の略中間または近傍の位置で本体の荷重を受けながら接地されるとともに左右方向転動自在に支持された車輪と、該車輪を左右方向に転動させる操作手段とを備えたことを特徴とする。
また、本発明は、接地部が前後方向縦長であって上部に機器を支持するスタンド装置において、本体下部の前後両端に配設され下面がエラストマからなる接地部と、該前後の接地部の略中間または近傍の位置で本体の荷重を受けながら接地されるとともに前後方向転動自在に支持された車輪と、該車輪を前後方向に転動させる操作手段とを備えたことを特徴とする。
また、本発明は、接地部が左右方向横長であって上部に機器を支持するスタンド装置において、本体下部の左右両端に高さ調節自在に螺着され少なくとも下面がゴムにより被覆されたゴム足と、該左右のゴム足の略中間またはその近傍の位置で本体の荷重を受けながら接地されるとともに左右方向転動自在に支持された車輪と、基端が左右方向中心の本体後部下面に左右方向揺動自在に軸支され、先端が本体前部より前方に突出し、中間に前記車輪を軸支した操作レバーとを備えたことを特徴とする。ここで、前記操作レバーは、前記車輪の軸支位置よりも先端側で本体下面に摺動自在に当接されることが好ましい。また、前記ゴム足は本体左右端部の前後に４個配置することが好ましい。
また、本発明は、前記車輪は、前記操作手段、または操作レバーが操作範囲の中央に位置する場合は接地されず、前記操作手段、または操作レバーが左右、または前後方向に操作されてから接地されることを特徴とする。
【発明の効果】
【０００５】
以上述べたように本発明によれば、本体の中心部に、横移動可能な車輪を設けておき、一方の端部が低い場合は、その低い方に車輪を移動すると、移動された側の端部の接地部にかかる荷重が減少し、その減少分に比例して端部が浮き上がり、両端の高さが均一となる。これらの操作は、スタンドの前面でスタンドに支持されている機器の高さを見ながら操作でき、また、微調整も可能である。このように、本発明は、高さ調節のために設けた機構が、スタンド下部の接地部に配置されていて目立たなくて、しかも、操作が簡単で、微調整も可能であり、液晶テレビの左右の高さ調節用として、好適なスタンド装置を得ることができる。
【発明を実施するための最良の形態】
【０００６】
以下、図に基づいて本発明の実施形態を説明する。
図１は本発明を、液晶テレビを支持するスタンド装置に適用した場合の液晶テレビおよびスタンド装置の背面図であり、図２は図１のスタンド装置のスタンドベースを斜め下方から見た斜視図であり、図３は図１のスタンドベースの端部の断面図であり、図（ａ）はゴム足を外した状態を示し、図（ｂ）はゴム足を螺着した状態を示し、図４は図１のスタンド装置の要部の前面図であり、図５は図４の上面図であり、図６は図４のＡ−Ａ線断面図である。
【０００７】
図１および図２に示されるように、スタンド装置は、液晶テレビ１の背面の中央部分に接続された金属製の支柱２と、支柱２の下端に一体的に締結された樹脂製のスタンドベース３とからなる。スタンドベース３は、横長な略Ｈ字形をして、液晶テレビ１を安定して正立させることのできる左右幅と前後幅を有している。スタンドベース３の４方向のそれぞれの先端下部には、図２および図３に示されるように、ゴム足４が垂直方向に高さ調節自在に螺着されている。このゴム足４は、金属製のボルトの頭部にゴムを被覆して形成されている。
【０００８】
スタンドベース３の中心の下面には、図４〜図６に示されるように、金属製の操作レバー５と金属製の車輪６が軸支されている。押し出し材からなる支柱２は、３本のビスにより、スタンドベース３に締結されており、そのうちの左右方向中心部分のビス７に段付きナット８が螺合され、そこに、操作レバー５の基端側の孔が嵌合されて、さらにナット９が螺着されている。これにより、操作レバー５の先端側が水平方向に揺動可能となる
【０００９】
操作レバー５の先端寄りの途中には角孔が形成され、その中に、金属製の車輪６が収納されて、その車軸１１が操作レバー５の下面に固着されている。車軸１１は、操作レバー５の揺動中心軸からの放射線上にあり、操作レバー５が揺動されたとき、車軸１１が接地面に当接した状態で円弧上の軌跡を往復転動することが可能となる。操作レバー５の先端は、スタンドベース３の前端部から前方に突出して、操作者による把持を可能にしている。また、操作レバー５の先端寄りの一部は、スタンドベース３の前端部の下面に当接して、車輪６の停止時に、スタンドベース３に加わる荷重の一部が、スタンドベース３の前端部の下面から、操作レバー５の当接部に加わり、さらに、車軸１１を介して、車輪６の接地部に加わるように構成されている。
【００１０】
次に、上述したように構成されたスタンド装置の操作とその作用について説明する。スタンドベース３は樹脂製であり、それなりの剛性を備えているものの、液晶テレビ１の重量により、中央部分がわずかに撓んで下降する。また、スタンドベース３の端部のゴム足４は、そのゴム部分の弾性により収縮した分、下降する。この下降量は、その端部に加わる荷重に比例する。そこで、液晶テレビ１を所定の設置位置にセッティングする場合は、まず、端部のゴム足４のスタンドベース３からの高さを均等に揃えるとともに、スタンドベース３へ荷重をかけない状態で、荷重をかけたときのゴム足４の弾性による収縮分とスタンドベース３中間の撓み量を加えた分、ゴム足４の下端が車輪６の下端よりも下方へ突出した状態に調節しておく。
【００１１】
次に、操作レバー５の先端位置を左右方向中心にしてから、スタンドベース３を設置位置で接地させて、液晶テレビ１の重量をスタンドベース３へかける。すると、端部４箇所のゴム足４は、スタンドベース３から加わる荷重に応じて、弾性変形しながら下降する。同時に、スタンドベース３自体も支柱２が締結されている中央部分が、液晶テレビ１の重量を受けて若干撓んで下降する。これらの結果、スタンドベース３の中心に位置する車輪６も下降して接地する。すなわち、液晶テレビ１の重量は、４個のゴム足４と車輪６との５点で、分担して支持されることになる。
【００１２】
ここで、液晶テレビ１の左右を見比べて、高さが揃って左右の傾きが無ければ、セッティング作業が終了となるが、左右の傾きがある場合は、低い方、例えば右側が低い場合は、操作レバー５を右側へ操作して車輪６を低い側の右方向へ移動する。すると、車輪６が右側に移動した分、ゴム足４と車輪６との５点における荷重の分担比が変動して、右側のゴム足４へかかる荷重が減少し、反対に左側のゴム足４にかかる荷重が増大する。その結果、右側のゴム足４は荷重が減った分、弾性変形量が減少して上昇し、反対に、左側のゴム足４は荷重が増えた分、弾性変形量が増して下降し、結果として、車輪６を支点として、液晶テレビ１の右側が上昇して高くなり、左右が釣り合い、画面が水平となる。
【００１３】
また、反対に、左側が低い場合は、操作レバー５を左側へ操作して、車輪６の位置を左側へ移動することで、左側を高くすることができる。なお、この高さの調節量は、操作レバー５の操作量に比例するので、左右の高低差の程度に応じて、操作レバー５を操作し、液晶テレビ１の画面を目視確認しながら、操作レバー５の最終位置を決定する。また、液晶テレビ１の設置位置の床面に最初から傾斜があり、上述した手順ではその傾斜を補正しきれない場合がある。その場合は、液晶テレビ１のセッティングの前に、左右のゴム足４をその傾斜の程度に応じて大まかに高低調整しておき、液晶テレビ１を設置後に、操作レバー５を操作して微調整をすることで、液晶テレビ１の画面を水平に調節することができる。
【００１４】
尚、本発明の実施の形態として、車輪６は常に接地され液晶テレビ１からの加重を受ける事例で説明したが、例えば、段付きナット８の段付き部と操作レバー５の基端側の孔とのクリアランスを若干増やすと共に、操作レバー５の先端寄りの一部が当接するスタンドベース３の前端部の下面を、中央部が接地面から離れており左右の方向へ行くにつれて接地面に近づくような湾曲状に形成することで、車輪６は、操作レバー５が操作範囲の中央に位置する場合は接地されず、操作レバー５が左右方向に操作されてから接地されるようにすることが可能になり、上記のような車輪６の接地も考慮したやや複雑な設置方法は不要となる。４個のゴム足４による左右バランスをとるだけで、初期設定は終了することになる。また、本発明の実施の形態においては、荷重分担調整の手段として車軸１１を有する車輪６で説明したが、軸を有しないボールベアリングや、単純な突起を設けて荷重分担調整の手段とすることも可能である。
【産業上の利用可能性】
【００１５】
本発明は、液晶テレビ以外に、同様に薄型のＰＤＰテレビにも利用可能であり、さらには、他のスタンドを用いて設置する形態の機器、装置等の水平調整に利用可能である。
【図面の簡単な説明】
【００１６】
【図１】本発明を液晶テレビ支持用のスタンド装置に適用した場合の背面図である。
【図２】図１のスタンド装置のスタンドベースを斜め下方から見た斜視図である。
【図３】図１のスタンドベースの端部の断面図であり、図（ａ）はゴム足を外した状態を示し、図（ｂ）はゴム足を螺着した状態を示す。
【図４】図１のスタンド装置の要部の前面図である。
【図５】図５は図４の上面図である。
【図６】図４のＡ−Ａ線断面図である。
【符号の説明】
【００１７】
１  液晶テレビ
２  支柱
３  スタンドベース
４  ゴム足
５  操作レバー
６  車輪
７  ビス
８  段付きナット
９  ナット
１１  車軸
【図１】
2006243568.tif 000003
【図２】
2006243568.tif 000004
【図３】
2006243568.tif 000005
【図４】
2006243568.tif 000006
【図５】
2006243568.tif 000007
【図６】
2006243568.tif 000008